(57)【要約】【課題】  微弱電流の強度自体は低下させることなく、使用感においては優しい刺激感を与えることができる美容器を提供すること。【解決手段】  複数の電極４４ａ、４４ｂ、４４ｃおよび４４ｄを備え、電極４４ａ、４４ｂ、４４ｃおよび４４ｄから使用者の肌に８０kHz〜１００kHzの範囲内で高周波を流すことのできる美容器において、電極４４ａ、４４ｂ、４４ｃおよび４４ｄのいずれかの間に、０．０１秒〜０．１５秒間断続的に通電することとした。また、中央電極４４ａと、前記第一電極４４ｂ、第二電極４４ｃ、第三電極４４ｄとの間に順に通電することとした。【選択図】図７
2019088373.tif 000002
【特許請求の範囲】
【請求項１】
複数の電極を備え、前記電極から使用者の肌に８０kHz〜１００kHzの範囲内で高周波を流すことのできる美容器であって、前記複数の電極のいずれかの間に、０．０１秒〜０．１５秒間断続的に通電されるよう制御可能とされた美容器。
【請求項２】
前記電極は３つ以上配設されている請求項１に記載の美容器。
【請求項３】
前記電極は、中央電極と、前記中央電極の周りに配設された第一電極、第二電極及び第三電極とを備えることを特徴とする請求項１に記載の美容器。
【請求項４】
前記電極は、前記中央電極と、前記第一電極、第二電極、第三電極との間に順に、通電される請求項３に記載の美容器。
【請求項５】
前記中央電極、前記第一電極、前記第二電極、前記第三電極が平面状に形成された電極部の同一面上に配設されるとともに、前記第一電極、前記第二電極、前記第三電極は、前記電極部の正面視において時計回りに配置されている請求項３又は請求項４に記載の美容器。
【請求項６】
前記第一電極、前記第二電極及び前記第三電極が等間隔で配設されている請求項３から請求項５のいずれかに記載の美容器。
【請求項７】
前記第一電極、前記第二電極及び前記第三電極が前記中央電極に向かって内向きに湾曲された円弧状に形成された請求項３から請求項６のいずれかに記載の美容器。
【請求項８】
前記第一電極ないし前記第三電極の隣り合う電極間にそれぞれ、ＬＥＤを配設した請求項３から請求項７のいずれかに記載の美容器。
【発明の詳細な説明】
【技術分野】
【０００１】
本発明は、使用者の肌に密着させて肌に微弱電流を流しマッサージ効果などの美容効果を施す美容器に関する。
【背景技術】
【０００２】
従来から、美容のために、使用者の肌に密着させてマッサージ効果などの美容効果を施す美容器が知られている。このような美容器には肌に対して種々の方法を用いて美容効果を与えるものが知られており、加熱や冷却を行うもの、吸引を行うもの、スチームやミストを浴びせるもの、超音波による振動を与えるもの、振動装置により直接的に振動を与えるもの、ＬＥＤなどにより光を照射するもの、微弱電流を流すものなどが知られている。このような従来技術のうち、近年、特にイオン導入法などに用いるものとして微弱電流を流すものが注目されている（例えば特許文献１参照）
【先行技術文献】
【特許文献】
【０００３】
【特許文献１】特開２００５−２５３５０１号公報（図１等）
【発明の概要】
【発明が解決しようとする課題】
【０００４】
しかしながら、前述したような微弱電流を用いる従来の美容器は、使用者の肌への使用感において、刺激が強すぎたり刺激が単調と感じることがあり、使用の際の体感向上にいまだに限界があった。
【０００５】
本発明の目的は、前述した従来の美容器の課題を解決しようとするものであり、微弱電流の強度自体は低下させることなく、使用感においては優しい刺激感を与えることができる美容器を提供することにある。
【課題を解決するための手段】
【０００６】
上記目的を達成するものは、以下のものである。
（１）複数の電極を備え、前記電極から使用者の肌に８０kHz〜１００kHzの範囲内で高周波を流すことのできる美容器であって、前記複数の電極のいずれかの間に、０．０１秒〜０．１５秒間断続的に通電されるよう制御可能とされた美容器。
【０００７】
（２）前記電極は３つ以上配設されている（１）に記載の美容器。
（３）前記電極は、中央電極と、前記中央電極の周りに配設された第一電極、第二電極及び第三電極とを備えることを特徴とする（１）に記載の美容器。
【０００８】
（４）前記電極は、前記中央電極と、前記第一電極、第二電極、第三電極との間に順に、通電される（３）に記載の美容器。
（５）前記中央電極、前記第一電極、前記第二電極、前記第三電極が平面状に形成された電極部の同一面上に配設されるとともに、前記第一電極、前記第二電極、前記第三電極は、前記電極部の正面視において時計回りに配置されている（３）又は（４）に記載の美容器。
【０００９】
（６）前記第一電極、前記第二電極及び前記第三電極が等間隔で配設されている（３）から（５）のいずれかに記載の美容器。
（７）前記第一電極、前記第二電極及び前記第三電極が前記中央電極に向かって内向きに湾曲された円弧状に形成された（３）から（６）のいずれかに記載の美容器。
【００１０】
（８）前記第一電極ないし前記第三電極の隣り合う電極間にそれぞれ、ＬＥＤを配設した（３）から（７）のいずれかに記載の美容器。
【図面の簡単な説明】
【００１１】
【図１】図１は、本発明の実施例の美容器の正面図である。
【図２】図２は、図１に示した美容器の右側面図である。
【図３】図３は、図１に示した美容器の背面図である。
【図４】図４は、図１に示した美容器の平面図である。
【図５】図５は、図１に示した美容器の底面図である。
【図６】図５は、図１に示した美容器の電気回路のブロック図である。
【図７】図７は、ヘッドの電極のイメージ図である。
【図８】図８は、電極の通電態様を示す図である。
【図９】図９は、ヘッドの電極のイメージ図である。
【発明を実施するための形態】
【００１２】
以下、本発明の実施の形態の美容器について、図面に示した実施の形態を用いて説明する。図１から図３に示すように、本発明の実施の形態の美容器１０は、縦長で前後の厚みが左右の幅よりやや小さく、図４に示すように、平面視においてヘッド部４０が変形六角形状に形成された全体形状に形成されている。そしてこの美容器１０は、ヘッド部４０に設けられた電極４４から微弱電流を流して、使用者の肌などのマッサージ効果を高めるものである。
【００１３】
この美容器１０においては、中央電極４４ａと、この中央電極４４ａの周りに３か所配設された第一電極４４ｂ、第二電極４４ｃ及び第三電極４４ｄが設けられており、中央電極４４ａとの間において、第一電極４４ｂ、第二電極４４ｃ、第三電極４４ｄが順に、中央電極４４ａを中心にして周回するように順次通電が行われる。また、これらの電極間の通電時間は本例では０．１５秒とされている。このため、本美容器１０は、このような通電時間の短さにより、細かい刺激を与えることができ、優しい刺激感を与えることができる。また本例においては、第一電極４４ｂ、第二電極４４ｃ及び第三電極４４ｄと中央電極４４ａとの間には、美容器１０の平面視において順に時計回りに通電がされるように構成されている。
【００１４】
美容器１０には、その上端面に、前述の通り各電極４４を備えたヘッド部４０が設けられ、一方、下方寄りには、側面視において徐々に小径に形成されていく下端部２０が設けられ、これらのヘッド部４０と下端部２０の間には、美容器１０の使用の際に使用者が把持する部位である把持部３０が設けられている。把持部３０は、美容器１０の正面視においてヘッド部４０及び下端部２０よりも僅かに幅狭に形成されており、美容器１０の全体形状においては、正面視及び背面視において、この把持部３０が僅かにくびれた、細長の「スピンドル」状の形状とされている。
【００１５】
図３に示されるように、美容器１０の上端部寄りの背面側には５つの操作ボタン１１〜１５が設けられている。また、これらの操作ボタン１１〜１５の各々の操作時に、当該操作ボタンが操作状態であることを明示するために、それぞれの操作ボタン１１〜１５に対応して個別に点灯表示が可能なＬＥＤ１１ａ〜１５ａが設けられている。各操作ボタンは、美容器１０の上方から順に、ＭＦＩＰボタン１１、ＵＰボタン１２、ＥＭＳボタン１３、ＬＥＤボタン１４及びＶＲボタン１５とされており、各操作ボタン１１〜１５の上端には、それぞれのボタンによる機能が作動状態であることを示すＬＥＤ１１ａ〜１５ａが配設されている。また、最上部のＭＦＩＰボタン１１の上方には、ＭＦＩＰボタン１１による通電レベルを４段階で示すための４つのＬＥＤ１８ａ〜１８ｄが美容器１０の上下方向に沿って連続して配設されている。
【００１６】
ＭＦＩＰボタン１１は後述する断続的に通電を行うＭＦＩＰモードのオン・オフ操作及び４段階の通電レベルを操作するための操作ボタンである。ＵＰボタン１２は４つの電極のうち２つ同士において連続的に通電を行うＵＰモードのオン・オフ操作をするための操作ボタンである。ＥＭＳボタン１３は電気的筋肉刺激与えるためのオン・オフ操作をするためのボタンである、ＬＥＤボタン１４はヘッド部４０に設けられたＬＥＤ群５０〜５２のオン・オフ操作をするためのボタンである。ＶＲボタン１５は美容器１０に内蔵された振動装置３９のオン・オフ操作をするためのボタンである。また、本美容器１０はＡＣアダプター３３によってＡＣ電源に接続可能とされ、内部に収納された充電池３４に充電可能とされ、ＡＣ電源に接続しない態様でも使用可能に構成されている。美容器１０の下端面には、図５に示されるように、ＡＣアダプター３３に接続可能な接続口１７が設けられている。
【００１７】
また、図６に示されるように、美容器１０内部には電極４４やＬＥＤ群５０〜５２などの動作を制御するためのＥＭＳパワーコントローラー２５、モードコントローラー２６、ＥＭＳドライバー２７、モータードライバー２８、電源基板３１、コンバータ３２、マイクロコンピュータ３５、ＬＥＤドライバー３６、パワーブースター３７、ＲＦパワーコントローラー３８等から構成される電子回路が内蔵されている。また、マッサージ効果を高めるための振動装置３９が内蔵されている。また充電池３４が内蔵されており、ＡＣ電源から充電された美容器１０について、ＡＣアダプター３３を取り外して美容器１０単体で使用することが可能である。
【００１８】
ついで図４を参照して、ヘッド部４０の詳細について説明する。ヘッド部４０の上端部には、美容器１０の軸心方向に対してほぼ直交方向に沿った平板状に形成された変形六角形状の電極部１６が設けられている。電極部１６には、前述した４つの電極４４と３つのＬＥＤ群５０〜５２が配設されている。
【００１９】
前述したように、電極４４は、中央電極４４ａと、この中央電極４４ａの周りに３か所配設された第一電極４４ｂ、第二電極４４ｃ及び第三電極４４ｄとから構成されている。中央電極４４ａは、図４に示されるように、美容器１０の平面視において下方中央に一つの頂点が配置された倒置状態の変形正三角形状に形成されている。第一電極４４ｂ、第二電極４４ｃ及び第三電極４４ｄは、それぞれ、この中央電極４４ａに向かって内向きに湾曲された円弧状に形成され、また、同一の形状とされている。また、これらの第一電極４４ｂ、第二電極４４ｃ及び第三電極４４ｄは、中央電極４４ａの中心から頂点方向の延長線上に、その中心が配置されるようにそれぞれ配設されている。周囲の電極を第一電極４４ｂから第三電極４４ｄの３つとすることにより、どのような部位であっても肌に密着させ易いという効果を得ることができる。本美容器１０では、これらの各電極４４から９０kHzの微弱電流を流して使用者の肌への美容効果を高めることとしている。これらの各電極４４の正面から見た角部はＲ２．５の面取りが施されている。各電極４４は、電極部１６の表面から、その正面側に僅かに突設された薄板状に設けられており、電極部１６表面からの各電極の高さは約２ｍｍとされている。これらの各電極４４の側面から見た角部はＲ１の面取りが施されている。
【００２０】
また、これらの第一電極４４ｂ、第二電極４４ｃ及び第三電極４４ｄは、中央電極４４ａから等距離の位置に配設されている。また、これらの第一電極４４ｂ、第二電極４４ｃ及び第三電極４４ｄは、それぞれこれらの３つの電極を含む周回方向において等距離に配置されている。中央電極４４ａの平面視の上下方向の高さは約１２．５ｍｍとされている。第一電極４４ｂ、第二電極４４ｃ及び第三電極４４ｄの長手方向の長さは約１９ｍｍ、短手方向の長さは約５．７ｍｍとされている。
【００２１】
また、第一電極４４ｂ、第二電極４４ｃ及び第三電極４４ｄのそれぞれの内側の縁部から、最も近い中央電極４４ａの頂点との距離は約６ｍｍとされている。また、第一電極４４ｂと第二電極４４ｃの間隔、第二電極４４ｃと第三電極４４ｄの間隔、第三電極４４ｄと第一電極４４ｂとの間隔は、それぞれ約１４．８ｍｍとされ、同一の間隔とされている。
【００２２】
そして、図７にも示されるように、中央電極４４ａとの間において、第一電極４４ｂ、第二電極４４ｃ、第三電極４４ｄが順に、中央電極４４ａを中心にして美容器１０の平面視において時計回りに周回するように順次通電が行われる。よって、ヘッド部４０を使用者の肌に密着させて通電する際に、密着させた肌に円弧を描くように刺激を与えることができ、円弧を描いてマッサージするように刺激を与えることができる。
【００２３】
また、前述したようにこれらの電極間の通電時間は本例では０．０５秒とされている。このため、本美容器１０は、このような通電時間の短さにより、細かい刺激を与えることができ、優しい刺激感を与えることができる。この通電時間は０．０１秒〜０．１５秒とすることもできる。さらに、０．０３秒〜０．１０秒とすると、一定の刺激感を残しながらよりいっそう優しい刺激感とすることができる。
【００２４】
前述の通り、第一電極４４ｂ、第二電極４４ｃ及び第三電極４４ｄの隣り合うそれぞれの電極間には、それぞれ矩形状をなすようにして４個配置されたＬＥＤ５０〜５２がそれぞれ設けられている。美容器１０は、これらのＬＥＤ５０〜５２により、後述する美容効果を高めるものとされている。第一電極４４ｂと第二電極４４ｃとの間に配置された第一ＬＥＤ５０ａ〜５０ｄの４つのＬＥＤ５０は青色発光ＬＥＤとされている。また、第二電極４４ｃと第三電極４４ｄとの間に配置された第二ＬＥＤ５１ａ〜５１ｄの４つのＬＥＤ５０は赤色発光ＬＥＤとされている。また、第三電極４４ｄと第一電極４４ｂの間に配置された第二ＬＥＤ５２ａ〜５２ｄの４つのＬＥＤ５０は緑色発光ＬＥＤとされている。
【００２５】
電極部１６に配設された各ＬＥＤ５０は以下のような作用・効果を奏する。ＬＥＤ５０は前述のように青色発光ＬＥＤとされている。ＬＥＤ列５０の波長は４１５ｎｍのものを使用しており、使用者の肌の荒れを柔らげ、肌に対して爽快感を与える効果を奏する。また、ＬＥＤ列５１は前述のように赤色発光ＬＥＤとされている。ＬＥＤ列５１の波長は６２０ｎｍのものを使用しており、特に小じわが気になる使用者や、肌に疲れを感じる使用者に対して効果的であり、肌にハリを与え、ツヤのある弾力肌とする効果を奏する。また、ＬＥＤ５２は前述のように緑色発光ＬＥＤとされている。ＬＥＤ５２の波長は５６０ｎｍのものを使用しており、特に美白効果を奏する。なお、いずれのＬＥＤ列についても、その効果を保持しつつ上下１０ｎｍほどの範囲でその波長を変更することが可能である。
【００２６】
次に、このように構成された美容器１０の作用・効果について説明する。前述したように、電極４４からは９０kHzの電流を流すことが可能である。使用者の肌への通電時においては、一般的に、低い低周波になるほど電極と肌との接触部位においてインピーダンスが高くなり、また電気信号を感じる時間的割合が長くなる傾向にあり、その結果、肌への刺激が大きくなり易い。しかしながら本美容器１０では、このように９０kHzの高周波を用いることにより、肌への刺激を低減させるようにしている。このような高周波により一定の温熱効果を与えることもできる。この温熱効果により「脂肪燃焼」と「新陳代謝」を促進させる効果を期待することができる。なお、本美容器１０では９０kHzの高周波を用いたが、これに限られず、本発明の実施の形態の美容器１０では８０kHz〜１００kHzの範囲内で別の周波数を用いることもできる。
【００２７】
そして図８に示されるように、前述したように、中央電極４４ａ、第一電極４４ｂ、第二電極４４ｃ及び第三電極４４ｄは、０．０５秒の間隔を空けて、順次通電させることにより、ごく短時間で異なる部位へ移動させて通電が可能なので、使用者の肌などにおける特定の部位への刺激をごく短時間とすることができる。よって、使用者の肌などへの刺激感を和らげることができる。
【００２８】
また、前述したように、中央電極４４ａとの間において、第一電極４４ｂ、第二電極４４ｃ、第三電極４４ｄが順に、中央電極４４ａを中心にして美容器１０の平面視において時計回りに周回するように順次通電が行われので、ヘッド部４０を使用者の肌に密着させて通電する際に、密着させた肌に円弧を描くように刺激を与えることができ、円弧を描いてマッサージするように、例えば手で円弧を描くマッサージのような疑似的効果を与えることができる。本明細書では、以上のような各電極４４ａから４４ｄの通電状態を、前述した「ＭＦＩＰモード」としている。
【００２９】
このように構成される美容器１０の操作方法は以下のとおりである。非動作状態から、図３に示される美容器１０背面側のＭＦＩＰボタン１１を押すと電源が投入される。さらにＭＦＩＰボタン１１が作動状態であることを示すために、ＬＥＤ１１ａが点灯する。また、この状態ではＭＦＩＰモードは一番低い第一レベルで通電されており、これを示すために、ＬＥＤ１８ｄのみが点灯する。ついでさらにもう一度ＭＦＩＰボタン１１を押すと、ＭＦＩＰモードでの第二レベルでの通電が行われ、ＬＥＤ１８ｄに加えてＬＥＤ１８ｃも点灯する。さらにもう一度ＭＦＩＰボタン１１を押すと、ＭＦＩＰモードでの第三レベルでの通電が行われ、ＬＥＤ１８ｄ、ＬＥＤ１８ｃに加えてＬＥＤ１８ｂも点灯する。そしてさらにもう一度ＭＦＩＰボタン１１を押すと、ＭＦＩＰモードでの第四レベルでの通電が行われ、ＬＥＤ１８ａ〜１８ｄの４つのＬＥＤがすべて点灯する。そしてこの後にＭＦＩＰボタン１１を押すと、ＭＦＩＰモードは終了し、電源がオフにされる。
【００３０】
また、ＵＰボタン１２を押すと、中央電極４４ａ及び第三電極４４ｄ間、第一電極４４ｂ及び第二電極４４ｃ間においてそれぞれ連続的に通電される「ＵＰモード」が作動状態となる。そして、もう一度ＵＰボタン１２を押すと、ＵＰモードは終了し、電源がオフにされる。
【００３１】
また、ＥＭＳボタン１３を押すと、約２．４ｋＨｚで通電がなされ電気的に筋肉刺激を行うＥＭＳモードが作動状態となる。そして、もう一度ＥＭＳボタン１３を押すと、ＥＭＳモードは終了し、電源がオフにされる。
【００３２】
また、ＬＥＤボタン１４を押すと、すべてのＬＥＤ群５０〜５２が全灯し、さらにもう一度押すと赤色ＬＥＤ群５１のみが点灯する。さらにもう一度押すと緑色ＬＥＤ群５２のみが点灯する。さらにまたもう一度押すと青色ＬＥＤ群５０のみが点灯する。そしてさらにもう一度押すとすべてのＬＥＤ群５０〜５２が点滅する。そしてもう一度押すとＬＥＤ群５０〜５２は消灯する。
【００３３】
また、ＶＲボタン１５を押すと、美容器１０内に内蔵された振動装置３９が振動し、肌に密着させた際のマッサージ効果を高める「振動モード」の作動状態となる。もう一度押すと、振動の作動が停止する。
【００３４】
なお、前述したＭＥＩＰモード、ＵＰモード及びＥＭＳモードはそれぞれ独立して排他的に作動する。一方、ＬＥＤが点灯又は点滅するＬＥＤモード及び振動装置３９による振動モードは、他のモードと併行して作動させることができる。また、前述のいずれのモード作動中においても、時間経過を示すために５秒ごとに短音が発せられる。また、電源投入後１０分経過時には、安全のために電源が遮断される。
【００３５】
本実施の形態から把握できる技術的思想としては例えば以下のものを例示することができる。
（１）複数の電極を備え、前記電極から使用者の肌に８０kHz〜１００kHzの範囲内で高周波を流すことのできる美容器であって、前記複数の電極のいずれかの間に、０．０１秒〜０．１５秒間断続的に通電されるよう制御可能とされた美容器。
０．０１秒〜０．１５秒の通電時間とすることにより、微弱電流の強度自体は低下させることなく、使用感においては優しい刺激感を与えることができる。
【００３６】
（２）前記電極は３つ以上配設されている（１）に記載の美容器。
３つ以上とすることにより、広い範囲で多数の箇所に分散して通電を行うことができる。
【００３７】
（３）前記電極は、中央電極と、前記中央電極の周りに配設された第一電極、第二電極及び第三電極とを備えることを特徴とする（１）に記載の美容器。
周回状に第一電極を備えることにより、中心から回りにかけてのバランスの良い範囲での通電を行うことができる。
【００３８】
（４）前記電極は、前記中央電極と、前記第一電極、第二電極、第三電極との間に順に、通電される（３）に記載の美容器。
第一から第三の各電極に対して、周回するように通電することにより、円を描いてマッサージをするような効果を得ることができる。
【００３９】
（５）前記中央電極、前記第一電極、前記第二電極、前記第三電極が平面状に形成された電極部の同一面上に配設されるとともに、前記第一電極、前記第二電極、前記第三電極は、前記電極部の正面視において時計回りに配置されている（３）又は（４）に記載の美容器。
前記（４）と同様に、第一から第三の各電極に対して、周回するように通電することにより、円を描いてマッサージをするような効果を得ることができる。
【００４０】
（６）前記第一電極、前記第二電極及び前記第三電極が等間隔で配設されている（３）から（５）のいずれかに記載の美容器。
断続的に順に各電極に通電する際に、第一から第三の各電極への通電による刺激が、バランスよく分散される。
【００４１】
（７）前記第一電極、前記第二電極及び前記第三電極が前記中央電極に向かって内向きに湾曲された円弧状に形成された（３）から（６）のいずれかに記載の美容器。
【００４２】
（８）前記第一電極ないし前記第三電極の隣り合う電極間にそれぞれ、ＬＥＤを配設した（３）から（７）のいずれかに記載の美容器。
ＬＥＤによる各種の効果を併用することができる。
【００４３】
本発明の美容器は、上記した実施の形態の美容器１０の構成に限られるものではなく、既に記載した変更例の他にも本発明の主旨の範囲内で種々の変更が可能である。本発明における各電極の形状は他のものとすることもできる。例えば、正面視円形、正面視矩形のものとすることもできる。また、各電極の配置形状を他の形状とすることも可能である。例えば、中央電極の周りの各電極を四角形状の頂点をなすように配設したり、さらに、五角形状以上の多角形状の頂点をなすように配設したりすることなどもできる。また、これらの中央電極周囲の各電極とを一組ではなく２組以上設けることもできる。この場合においては、複数組の電極群を上下方向に沿って配設したり、横方向沿って配設したり、３組の電極群を備える美容器とする場合に、三角形を構成するように各電極群を配設するなど、他の形態として配設することとしても良い。
【００４４】
また、上記のような電極の例とは別に、マッサージ用のローラーを備えた美容器やボールを備えた美容器において、ローラーやボールに電極を配設して、同様の通電・通電休止等の制御をおこなうこととしても良い。
【産業上の利用可能性】
【００４５】
本発明は、手・腕・脚・顔その他、使用者の肌の美容のための美容器に広く利用することができる。
【符号の説明】
【００４６】
１０；美容器、１１；ＭＦＩＰボタン、１２；ＵＰボタン、１３；ＥＭＳボタン、１４；ＬＥＤボタン、１５；ＶＲボタン、１６；電極部、１７；接続口、１８ａ〜１８ｄ；ＬＥＤ、２０；下端部、２５；ＥＭＳパワーコントローラー、２６；モードコントローラー、２７；ＥＭＳドライバー、２８；モータードライバー、３０；把持部、３１；電源基板、３２；コンバータ、３３；ＡＣアダプター、３４；充電池、３５；マイクロコンピュータ、３６；ＬＥＤドライバー、３７；パワーブースター、３８；ＲＦパワーコントローラー、３９；振動装置、４０；ヘッド部、４４ａ；中央電極、４４ｂ；第一電極、４４ｃ；第２電極群、４４ｄ；第三電極、５０，５１，５２；ＬＥＤ群。
【図１】
2019088373.tif 000003
【図２】
2019088373.tif 000004
【図３】
2019088373.tif 000005
【図４】
2019088373.tif 000006
【図５】
2019088373.tif 000007
【図６】
2019088373.tif 000008
【図７】
2019088373.tif 000009
【図８】
2019088373.tif 000010
【図９】
2019088373.tif 000011